(57)【要約】【課題】車椅子利用者や手の不自由な者であっても、放出された硬貨を容易に取り出せるようにする。【解決手段】本体の前面に備わる接客面３での操作に基づいて所定の取引処理を行ない、当該処理の結果に応じて硬貨を放出する取引処理装置において、接客面３の下方に、前方へ突出するようにテーブル５が設けられる。このテーブル５は、水平方向に延びる平板状の台部５ａと、この台部５ａの周縁に上方へ突出するように形成された壁部５ｂとを有している。テーブル５の台部５ａには、放出された硬貨を受ける受皿部１４が設けられ、テーブル５の壁部５ｂには、受皿部１４に放出された硬貨を掻き出すための切欠部５ｃが設けられている。【選択図】図１
2008027204.tif 000002
【特許請求の範囲】
【請求項１】
本体の前面に備わる接客面での操作に基づいて所定の取引処理を行ない、当該処理の結果に応じて硬貨を放出する取引処理装置において、
前記接客面の下方に、前方へ突出するように設けられたテーブルを備え、
前記テーブルは、水平方向に延びる平板状の台部と、この台部の周縁に上方へ突出するように形成された壁部とを有し、
前記テーブルの台部に、放出された硬貨を受ける受皿部が設けられ、
前記テーブルの壁部に、前記受皿部に放出された硬貨を掻き出すための切欠部が設けられていることを特徴とする取引処理装置。
【請求項２】
請求項１に記載の取引処理装置において、
前記受皿部は、前記テーブルの台部に上方が開放するように形成された凹部からなり、
前記受皿部と前記切欠部とが連通せずに分断されていることを特徴とする取引処理装置。
【請求項３】
請求項１に記載の取引処理装置において、
前記受皿部は、前記テーブルの台部に上方が開放するように形成された凹部からなり、
前記受皿部と前記切欠部とが溝部を介して連通していることを特徴とする取引処理装置。
【発明の詳細な説明】
【技術分野】
【０００１】
本発明は、駅に設置される自動券売機などの取引処理装置に関し、特に、車椅子利用者等に対して使い勝手を良くした取引処理装置に関する。
【背景技術】
【０００２】
鉄道の駅に設置される自動券売機にあっては、本体の前面に利用者が操作する接客面が備わっており、この接客面で行われた所定の操作に基づいて切符が発行されるとともに、釣銭がある場合は釣銭が放出されるようになっている。釣銭には紙幣と硬貨とがあるが、硬貨は接客面の下部に設けられた硬貨取出し口の受皿へ放出される。この受皿へ放出された硬貨を取り出しやすくするために、従来から様々な提案がされている。
【０００３】
たとえば、下記の特許文献１には、硬貨取出し口の受皿へ放出された硬貨をつかみ易くして容易に取り出せるように、受皿の内面に人工芝状シート、樹脂製突起、ウレタンフォームなどを設けた構造が記載されている。
【特許文献１】特開２００２−１５３４９公報（段落０００５−００１２）
【発明の開示】
【発明が解決しようとする課題】
【０００４】
しかしながら、自動券売機を利用する者の中には、車椅子利用者や手の不自由な者も含まれ、これらの者にとって、硬貨取出し口へ手を差し入れて受皿の硬貨を確実につかんで取り出すことは容易でない。このため、車椅子利用者等に対して、少しでも硬貨を取り出しやすくする工夫が望まれるが、特許文献１では、このような要求に対する配慮はなされていない。
【０００５】
本発明は、上述した課題に鑑み、車椅子利用者や手の不自由な者であっても、放出された硬貨を容易に取り出せるようにした取引処理装置を提供するものである。
【課題を解決するための手段】
【０００６】
本発明では、本体の前面に備わる接客面での操作に基づいて所定の取引処理を行ない、当該処理の結果に応じて硬貨を放出する取引処理装置において、接客面の下方に、前方へ突出するようにテーブルが設けられる。このテーブルは、水平方向に延びる平板状の台部と、この台部の周縁に上方へ突出するように形成された壁部とを有している。テーブルの台部には、放出された硬貨を受ける受皿部が設けられ、テーブルの壁部には、受皿部に放出された硬貨を掻き出すための切欠部が設けられている。
【０００７】
このようにすれば、受皿部へ放出された硬貨を片手で台部を介して切欠部まで導いた後、切欠部から硬貨を掻き出してもう一方の片手で受けることにより、車椅子利用者や手の不自由な者であっても、硬貨を容易に取り出すことができる。また、台部の周縁には壁部が形成されているので、台部上の硬貨がテーブルの端から落下するのを壁部によって阻止することができ、全ての硬貨を確実に切欠部から取り出すことができる。また、硬貨を取り出す際には、テーブルに腕を載せることもできるので、硬貨の取出し作業が楽で使い勝手がよい。
【０００８】
本発明においては、テーブルの台部に上方が開放するように形成された凹部により受皿部を構成し、受皿部と切欠部とが連通せずに分断されている構造としてもよい。これによると、受皿部が上方に開放しているため、受皿部に放出された硬貨のすくい出しが容易となるとともに、受皿部と切欠部とが分断されているため、受皿部へ放出された硬貨が転動等により切欠部まで至って落下するのを防止することができる。
【０００９】
また、本発明においては、テーブルの台部に上方が開放するように形成された凹部により受皿部を構成し、受皿部と切欠部とが溝部を介して連通する構造としてもよい。これによると、受皿部に放出された硬貨を、溝部を利用して容易に切欠部へ導くことができる。
【発明の効果】
【００１０】
本発明によれば、車椅子利用者や手の不自由な者であっても、受皿部に放出された硬貨を容易に取り出すことができ、これらの者に対して使い易さをより向上させた取引処理装置を提供することができる。
【発明を実施するための最良の形態】
【００１１】
以下、本発明を自動券売機に適用した場合の実施形態につき、図面を参照しながら説明する。
【００１２】
図１は、本発明の実施形態に係る自動券売機の斜視図、図２は同正面図、図３は同右側面図である。各図において、１００は自動券売機、１は自動券売機１００の本体であって、本体１の前面には、案内表示部２および接客面３が設けられている。案内表示部２は正面を向くように設けられているのに対し、接客面３は利用者が操作しやすいように斜め上を向いて設けられている。接客面３には、タッチパネル６、券種選択ボタン７、カード挿入部８、テンキー９、紙幣挿入部１０、硬貨投入部１１などからなる操作部が設けられている。また、接客面３の下方には、券放出口１２、紙幣取出し口１３、受皿部１４が設けられている。
【００１３】
接客面３の両側方には、それぞれ遮蔽板４が取り付けられている。この遮蔽板４は、接客面３での操作が他人によって覗かれないようにするためのもので、半透明もしくは不透明な樹脂製の板状部材から構成される。遮蔽板４の下部には、透孔２０ａとこれに連通する透孔２０ｂとからなるＬ字状の透孔２０が形成されており、この透孔２０の周囲部分は、滑りにくい樹脂１９で被覆されている。Ｌ字状の透孔２０が形成されることにより、遮蔽板４の下部に把持部２１，２２が設けられる。把持部２１は車椅子利用者用の把持部であって、この把持部２１を握ることで車椅子を接客面３に引き寄せ、手を伸ばして上方の操作部を操作することができる。把持部２２は高齢者用の把持部であって、この把持部２２を握ることで接客面３に寄り掛かった姿勢で操作を行なうことができる。
【００１４】
接客面３の下方には、テーブル５が設けられている。このテーブル５は、本体１から前方へ突出するように設けられており、水平方向に延びる平板状の台部５ａと、この台部５ａの周縁に上方へ突出するように一体形成された壁部５ｂと、壁部５ｂの一部に形成された切欠部５ｃとを備えている。テーブル５の横幅は、接客面３の横幅とほぼ等しくなっている。台部５ａには、前述した受皿部１４が設けられており、この受皿部１４は上方が開放するように形成された凹部からなる。受皿部１４には、自動券売機１００の内部に設けられている硬貨処理部（図示省略）から硬貨が放出される。本実施形態では、受皿部１４と切欠部５ｃとは連通しておらず、分断されている。１６はテーブル５に備え付けられた係員呼び出しボタンである。１７はテーブル５の下方に形成された凹部であって、この凹部１７に車椅子の一部が進入できるようになっている。
【００１５】
以上のような自動券売機１００において、車椅子利用者は、車椅子に座ったまま、両側（片側でもよい）の遮蔽板４の透孔２０ａへ手を挿入し、下側の把持部２１を握って車椅子を接客面３に引き寄せ、車椅子の一部（前方部分）を凹部１７に進入させる。これにより、車椅子利用者は接客面３に近づくことができる。そして、たとえば左手で左側の把持部２１を握ったままの状態で、右手を上に伸ばして、接客面３に備わる操作部６〜１１を操作することにより、接客面３の斜め下方向からボタンやキーの操作、カードや紙幣の挿入、硬貨の投入などを行なう。
【００１６】
釣銭として受皿部１４に放出された硬貨を取り出す場合、たとえば右手で受皿部１４から硬貨をすくい出し、台部５ａの上面を介して切欠部５ｃまで導いた後、切欠部５ｃから硬貨を掻き出して左手で受けることにより、硬貨を容易に取り出すことができる。さらに、テーブル５に腕を載せることもできるので、テーブル５で腕を支持した状態で硬貨のすくい出しや掻き出しを行なうことができ、硬貨の取出し作業が楽で使い勝手がよい。
【００１７】
また、台部５ａの周縁には壁部５ｂが形成されているので、受皿部１４からすくい出した台部５ａ上の硬貨がテーブル５の端から落下するのを壁部５ｂによって阻止することができ、全ての硬貨を確実に切欠部５ｃから取り出すことができる。加えて、受皿部１４が上方に開放しているため、受皿部１４に放出された硬貨のすくい出しが容易となるとともに、受皿部１４と切欠部５ｃとが分断された構造となっているので、受皿部１４へ放出された硬貨が転動等により切欠部５ｃまで至って落下するのを防止することができる。
【００１８】
このようにして、上述した実施形態によれば、車椅子利用者にとって硬貨の取り出しが容易に行なえる自動券売機１００が実現される。手の不自由な者に対しても同様のことがいえる。
【００１９】
また、上述した実施形態においては、車椅子利用者用の把持部２１と、高齢者用の把持部２２とが設けられているので、車椅子利用者にとっても高齢者にとっても、それぞれの最適な状態で楽に操作を行うことが可能となり、双方にとって使い易い自動券売機１００が実現される。
【００２０】
図４は、本発明の他の実施形態に係る自動券売機１００の斜視図を示している。本実施形態では、受皿部１４と切欠部５ｃとが溝部１５を介して連通している点が図１と異なっており、その他については図１と同じである。したがって、図１と同一部分には同一符号を付してある。
【００２１】
図４の実施形態において、釣銭として受皿部１４に放出される硬貨を取り出す場合、たとえば右手で硬貨を受皿部１４から溝部１５を介して切欠部５ｃまで導いた後、切欠部５ｃから硬貨を掻き出して左手で受けることにより、硬貨を容易に取り出すことができる。この場合、受皿部１４の硬貨を台部５ａの上面へすくい出す必要がなく、溝部１５を通して手前に寄せるだけでよいので、硬貨の取出し作業がより一層容易となる。また、本実施形態でも、テーブル５に腕を載せて、テーブル５で腕を支持した状態で硬貨の掻き出しを行なうことができるので、使い勝手が良い。
【００２２】
本発明では、以上述べた実施形態以外にも、種々の実施形態を採用することができる。たとえば、前記実施形態では、テーブル５の台部５ａに壁部５ｂを一体に形成したが、台部５ａに別部材としての壁部を設けてもよい。また、前記実施形態では、切欠部５ｃを１つだけ設けた例を示したが、切欠部５ｃは必要に応じて複数設けてもよい。
【００２３】
さらに他の実施形態として、受皿部１４とは別に、テーブル５の切欠部５ｃの下に受皿（図示省略）を設け、切欠部５ｃから掻き出した硬貨をこの受皿で受けるようにしてもよい。また、この受皿をスライド式または回動式にして、普段はテーブル５の裏側に隠れるような構成としてもよい。
【００２４】
以上の実施形態においては、本発明を自動券売機１００に適用した場合を例に挙げたが、本発明は自動券売機以外にも、自動精算機、現金自動預払機（ＡＴＭ）、両替機などの硬貨放出機能を備えた各種取引処理装置に適用することができる。
【図面の簡単な説明】
【００２５】
【図１】本発明の実施形態に係る自動券売機の斜視図である。
【図２】同自動券売機の正面図である。
【図３】同自動券売機の右側面図である。
【図４】本発明の他の実施形態に係る自動券売機の斜視図である。
【符号の説明】
【００２６】
１  本体
３  接客面
５  テーブル
５ａ  台部
５ｂ  壁部
５ｃ  切欠部
１４  受皿部
１５  溝部
１００  自動券売機
【図１】
2008027204.tif 000003
【図２】
2008027204.tif 000004
【図３】
2008027204.tif 000005
【図４】
2008027204.tif 000006